(57)【要約】  【課題】高圧流体の管継手において、雌型継手及び雄型継手の連結を適正に行うことができるコレット型の係止爪を備えた雌型継手を提供する。  【解決手段】  上記雄型継手受入部２２が、雄型継手１２の被係止部１２−１が係止爪３２の係止部３２−１によって係合されるようになる固定位置まで雄型継手が雄型継手受入部２２へ挿入される前の段階で、該雄型継手の先端部外周面１２−２と摺動係合する奥部内面３５−２と、該奥部内面が雄型継手の先端部外周面１２−２に摺動係合するのと同時に、雄型継手における被係止部１２−１を挟んで先端部外周面１２−２よりも後方位置にある雄型継手の外周面１２−３と摺動係合する前端内面２０−１（２）を有する。【選択図】図１
2006112533.tif 000002
【特許請求の範囲】
【請求項１】
前端から後端に向けて延びる雄型継手受入部を有する筒状壁を備える雌型継手本体と、
上記筒状壁に取付けられ、該筒状壁の軸線方向（雄型継手受入方向）に延びる係止爪であって、挿入された雄型継手の外周面に形成された被係止部に係合して、該雄型継手を雌型継手本体内に係止する係止部を前端に備える係止爪と、
を有する管継手の雌型継手であって、
筒状壁は、
係止爪を梃子状に支持する支持部であって、係止爪が該支持部を中心に梃子状の運動をすることにより、係止部が、上記雄型継手受入部に挿入された雄型継手の被係止部に係合する係止位置と、該係止位置よりも半径方向外側に変位して雄型継手の被係止部から外れて、雄型継手が雄型継手受入部から引き出されるのを可能とする開放位置と、の間で変位するようにする支持部と、
係止爪の係止部が当該筒状壁を通して上記係止位置と開放位置との間を半径方向で変位可能にするために該筒状壁の半径方向を貫通するように設けられた半径方向貫通孔と、
を有し、
上記雄型継手受入部が、
雄型継手の被係止部が係止爪の上記係止位置とされる係止部によって係合されるようになる固定位置まで該雄型継手が雄型継手受入部へ挿入される前の段階で、当該雄型継手の先端部外周面と摺動係合する奥部内面と、該奥部内面が雄型継手の先端部外周面に摺動係合するのと同時に、雄型継手における被係止部を挟んで先端部外周面よりも後方位置にある雄型継手の外周面と摺動係合する前端内面と、
を有し、
当該雌型継手は、
雄型継手が雄型継手受入部内の上記固定位置に挿入された状態で、上記係止爪の係止部を上記係止位置に押圧する係止爪操作手段を
有することを特徴とする管継手の雌型継手。
【請求項２】
前端から後端に向けて延びる雄型継手受入部を有する筒状壁を備える雌型継手本体と、
上記筒状壁に取付けられ、該筒状壁の軸線方向（雄型継手受入方向）に延びる係止爪であって、雄型継手受入部の所定の固定位置まで挿入された雄型継手の外周面に形成された被係止部に係合して、該雄型継手を雌型継手本体内に係止する係止部を前端に備える係止爪と、
を有する管継手の雌型継手であって、
筒状壁は、
係止爪を梃子状に支持する支持部であって、係止爪が該支持部を中心に梃子状の運動をすることにより、該係止爪における支持部よりも上記前端側にある係止部が、上記雄型継手受入部に挿入された雄型継手の被係止部に係合する係止位置と、該係止位置よりも半径方向外側に変位して雄型継手の被係止部から外れて、雄型継手が雄型継手受入部から引き出されるのを可能とする開放位置と、の間で変位するようにする支持部と、
係止爪の係止部が当該筒状壁を通して上記係止位置と開放位置との間を半径方向で変位可能にするために該筒状壁の半径方向を貫通するように設けられた半径方向貫通孔と、
を有し、
当該雌型継手が
上記筒状壁の外周面上に設けられ、上記係止爪の半径方向外側に位置し、上記支持部よりも上記前端側の部分で係止爪を半径方向内方へ押圧して、該係止爪の係止部を上記係止位置に押圧する押圧固定位置と、上記支持部よりも上記後端側の部分で係止爪を半径方向内方へ押圧して、該係止爪の係止部が上記開放位置となるようにする押圧開放位置との間を上記軸線方向で変位可能とされた操作スリーブを備えた係止爪操作手段を有する
ことを特徴とする管継手の雌型継手。
【請求項３】
上記係止爪操作手段が、上記筒状壁の外周面上に設けられ、上記係止爪の半径方向外側に位置し、上記支持部よりも上記前端側の部分で係止爪を半径方向内方へ押圧して、該係止爪の係止部を上記係止位置に押圧する押圧固定位置と、上記支持部よりも上記後端側の部分で係止爪を半径方向内方へ押圧して、該係止爪の係止部が上記開放位置となるようにする押圧開放位置との間を上記軸線方向で変位可能とされた操作スリーブを備えることを特徴とする請求項1に記載の雌型継手。
【請求項４】
上記係止爪が、その係止部が上記係止位置にある状態において、軸線方向に延びる平坦部と、該平坦部における上記支持部よりも前方の位置で半径方向外側に隆起した第１隆起部と、該平坦部における上記支持部よりも後方の位置で半径方向外側に隆起した第２隆起部とを有する半径方向外側面を備え、
該操作スリーブが、
第１及び第２爪押えを有し、
上記押圧係止位置にあるときには、第１爪押えが係止爪の第１隆起部に押圧係合し、第２爪押えが第２隆起部よりも前方位置の位置とされて、該係止爪の係止部を上記係止位置に押圧し、
上記押圧開放位置にあるときには、第１爪押えが係止爪の第１隆起部よりも後方位置に位置し、第２爪押えが係止爪の第２隆起部に押圧係合するようにして、係止爪の係止部が上記開放位置になるようにした
ことを特徴とする請求項２若しくは３に記載の雌型継手。
【請求項５】
上記スリーブの前端内周面が上記第１爪押えを形成し、
該スリーブは、その前端より後方位置において該スリーブの内周面よりも半径方向内側に突出する部分を有するボールを備え、該ボールの上記突出部分により、上記第２爪押えが形成されていることを特徴とする請求項４に記載の雌型継手。
【請求項６】
上記係止爪操作手段が、
上記雄型継手受入部内に操作スリーブ固定位置と操作スリーブ開放位置との間を上記軸線方向で変位可能に設けられたスリーブ固定部材と、
該スリーブ固定部材を操作スリーブ固定位置に付勢する第１付勢部材と、
操作スリーブ固定位置にあるスリーブ固定部材により操作スリーブに係合されて該操作スリーブを上記押圧開放位置に保持し、スリーブ固定部材が操作スリーブ開放位置に変位することに応答して操作スリーブを上記押圧係止位置に変位するのを許容するスリーブ係合部材と
を有することを特徴とする請求項４若しくは５に記載の雌型継手。
【請求項７】
上記スリーブ係合部材は、上記筒状壁を半径方向で貫通する半径方向孔内に半径方向で変位可能に設けられたスリーブ係合ボールとされ、
上記操作スリーブはその内周面に、当該操作スリーブが上記押圧開放位置にあるときに該スリーブ係合ボールと半径方向で整合するボール受入凹部を有し、
上記スリーブ固定部材は、操作スリーブ固定位置にあるときにスリーブ係合ボールに係合して該ボールを操作スリーブの上記ボール受入凹部に押圧係合させるボール押圧部と、上記操作スリーブ開放位置にあるときにスリーブ係合ボールが半径方向内側に変位してボール受入凹部から外れるのを可能にするボール開放部とを有する外面を備える
ことを特徴とする請求項６に記載の雌型継手。
【請求項８】
上記雄型継手受入部内に設けられた開閉弁であって、雌型継手本体内で該雄型継手受入部に軸線方向で連続して設けられた流体通路を閉止する前方閉止位置と、同流体通路を開放する後方開放位置との間を軸線方向で変位可能とされた開閉弁体と、
該開閉弁体を上記前方閉止位置に付勢する第２付勢手段と、
を有し、
上記スリーブ固定部材及び開閉弁は雄型継手受入部内に挿入される雄型継手によって後方へ押し込められ、開閉弁体が上記後方開放位置とされた状態でスリーブ固定部材がスリーブ開放位置とされるようになされている
ことを特徴とする請求項７に記載の雌型継手。
【請求項９】
上記雌型継手本体が、上記流体通路を開閉するための第２開閉弁を有し、
上記操作スリーブは、上記押圧係止位置とされたときにのみ、該第２開閉弁が解放状態となるのを許容するようにしたことを特徴とする請求項８に記載の雌型継手。
【請求項１０】
雌型継手本体の先端に設けられ、上記押圧係止位置にあるときの操作スリーブの半径方向外側位置に位置して、該操作スリーブへの外部からのアクセスができないようにするための安全筒部を有することを特徴とする請求項４乃至９のいずれかに記載の雌型継手。
【発明の詳細な説明】
【技術分野】
【０００１】
本発明は管継手に関し、特に高圧流体を扱うのに適した管継手の雌型継手に関する。
【背景技術】
【０００２】
管継手は、一般的に、雄型継手を雌型継手に挿入した状態で両継手を連結固定するようになっており、この連結固定を行う手段としては、通常、雌型継手の雄型継手受入部に半径方向で変位可能に設けられたボールが設けられ、雄型継手が雄型継手受入部内に挿入された状態で該ボールを半径方向内側に変位して雄型継手の外周面に設けられたボール受入凹部に係合するようになっている（特許文献１）
しかし、このようなボールは、当該管継手が扱う流体が高圧である場合などには、雄型継手のボール受入凹部に強く押圧する必要があり、該ボール受入凹部に圧痕が生じ、一定期間使用することにより、固定作用が十分ではなくなる虞がある。
【０００３】
これに対して、いわゆるコレット型の固定手段が用いられる場合がある。すなわち、この固定手段は、雌型継手の雄型継手受入部の周囲に一定間隔をあけて設けられ、それぞれ当該雄型継手受入部の雄型継手受入方向に伸びるようにされた複数の係止爪を有し、該係止爪を梃子状に揺動可能に支持して、その先端に設けた係止部を雄型継手の外周面に設けた係止凹部に係合／係合解除するようにしている（特許文献２）。
この係止爪の係止部は、上述のボールに比べて、圧痕が生じる程度は少なくなる。しかし、係止爪は雌型継手の雄型継手受入部の先端部分に設けられ、係止部を半径方向外側に広げた状態にした係止爪の中に雄型継手を受け入れ、該雄型継手に対して、係止部を半径方向内側に変位させて係合固定を行うものであるから、係止固定が行われる状態において、雄型継手と雌型継手とが必ずしも芯出しされた状態とはならない場合が生じ、結果として、雄型継手と雌型継手との連結が適正なものでなくなる虞がある。  
【特許文献１】特願２００３−１３３６１８
【特許文献２】米国特許２８８８２７８号
【発明の開示】
【発明が解決しようとする課題】
【０００４】
本発明は上述のコレット型の固定手段の問題を解消した管継手、特に、雌型継手を提供することを目的とする。
【課題を解決するための手段】
【０００５】
すなわち、本発明は
前端から後端に向けて延びる雄型継手受入部（以下の発明の実施形態の説明では参照番号２２で示している）を有する筒状壁（同実施形態における第１本体部材２０−１に相当する）を備える雌型継手本体（２０）と、
上記筒状壁に取付けられ、該筒状壁の軸線方向（雄型継手受入方向）に延びる係止爪（３２）であって、挿入された雄型継手の外周面に形成された被係止部（１２−１）に係合して、該雄型継手（１２）を雌型継手本体（２０）内に係止する係止部（３２−１）を前端に備える係止爪と、
を有する管継手の雌型継手（１０）であって、
筒状壁（２０−１）は、
係止爪を梃子状に支持する支持部（３５−１）であって、係止爪が該支持部を中心に梃子状の運動をすることにより、係止部（３２−１）が、上記雄型継手受入部に挿入された雄型継手の被係止部（１２−１）に係合する係止位置と、該係止位置よりも半径方向外側に変位して雄型継手の被係止部から外れて、雄型継手が雄型継手受入部から引き出されるのを可能とする開放位置と、の間で変位するようにする支持部（３５−１）と、
係止爪（３２）の係止部（３２−１）が当該筒状壁を通して上記係止位置と開放位置との間を半径方向で変位可能にするために該筒状壁の半径方向を貫通するように設けられた半径方向貫通孔（２０−１（１））と、
を有し、
上記雄型継手受入部（２２）が、
雄型継手（１２）の被係止部（１２−１）が係止爪（３２）の上記係止位置とされる係止部（３２−１）によって係合されるようになる固定位置まで当該雄型継手が雄型継手受入部へ挿入される前の段階で、該雄型継手の先端部外周面（１２−２）と摺動係合する奥部内面（３５−２）と、該奥部内面が雄型継手の先端部外周面（１２−２）に摺動係合するのと同時に、雄型継手における被係止部（１２−１）を挟んで先端部外周面（１２−２）よりも後方位置にある雄型継手の外周面（１２−３）と摺動係合する前端内面（２０−１（２）と、
を有し、
当該雌型継手（１０）は、
雄型継手が雄型継手受入部（２２）内の上記固定位置に挿入された状態で、上記係止爪（３２）を上記係止位置に押圧する係止爪操作手段（２４）を
有することを特徴とする管継手の雌型継手を提供する。
【０００６】
具体的には、上記係止爪操作手段（２４）が、上記筒状壁の外周面上に設けられ、上記係止爪の半径方向外側に位置し、上記支持部よりも上記前端側の部分で係止爪を半径方向内方へ押圧して、該係止爪の係止部を上記係止位置に押圧する押圧固定位置と、上記支持部よりも上記後端側の部分で係止爪を半径方向内方へ押圧して、該係止爪の係止部が上記開放位置となるようにする押圧開放位置との間を上記軸線方向で変位可能とされた操作スリーブを備えるものとすることができる。
【０００７】
また、本発明は、
前端から後端に向けて延びる雄型継手受入部（２２）を有する筒状壁（２０−１）を備える雌型継手本体（２０）と、
上記筒状壁に取付けられ、該筒状壁の軸線方向（雄型継手受入方向）に延びる係止爪（３２）であって、雄型継手受入部の所定の固定位置まで挿入された雄型継手の外周面に形成された被係止部（１２−１）に係合して、該雄型継手（１２）を雌型継手本体（２０）内に係止する係止部（３２−１）を前端に備える係止爪（３２）と、
を有する管継手の雌型継手（１０）であって、
筒状壁（２０−１）は、
係止爪を梃子状に支持する支持部（３５−１）であって、係止爪が該支持部を中心に梃子状の運動をすることにより、該係止爪における支持部よりも上記前端側にある係止部（３２−１）が、上記雄型継手受入部に挿入された雄型継手の被係止部（１２−１）に係合する係止位置と、該係止位置よりも半径方向外側に変位して雄型継手の被係止部から外れて、雄型継手が雄型継手受入部（２２）から引き出されるのを可能とする開放位置と、の間で変位するようにする支持部（３５−１）と、
係止爪の係止部が当該筒状壁を通して上記係止位置と開放位置との間を半径方向で変位可能にするために該筒状壁の半径方向を貫通するように設けられた半径方向貫通孔（２０−１（１））と、
を有し、
当該雌型継手が
上記筒状壁（２０−１）の外周面上に設けられ、上記係止爪（３２）の半径方向外側に位置し、上記支持部よりも上記前端側の部分で係止爪を半径方向内方へ押圧して、該係止爪の係止部を上記係止位置に押圧する押圧固定位置と、上記支持部よりも上記後端側の部分で係止爪を半径方向内方へ押圧して、該係止爪の係止部が上記開放位置となるようにする押圧開放位置との間を上記軸線方向で変位可能とされた操作スリーブ（４０）を備えた係止爪操作手段を有する
ことを特徴とする管継手の雌型継手を提供する。
【０００８】
これら雌型継手においては、係止爪（３２）の係止部（３２−１）が、雌型継手本体の先端よりも奥に位置する半径方向貫通孔（２０−１（１））を通して雄型継手の被係止部（１２−１）に係合するようになっており、従って、当該係止部（３２−１）が該被係止部に係合する状態では、雄型継手を雌型継手に十分挿入されて芯出しされた状態とすることができる
【０００９】
具体的には、上記係止爪（３２）は、その係止部（３２−１）が上記係止位置にある状態において、軸線方向に延びる平坦部（３２−２）と、該平坦部における上記支持部よりも前方の位置で半径方向外側に隆起した第１隆起部（３２−４）と、該平坦部における上記支持部よりも後方の位置で半径方向外側に隆起した第２隆起部（３２−３）とを有する半径方向外側面を備え、
該操作スリーブ（２４）が、
第１及び第２爪押えを有し、
上記押圧係止位置にあるときには、第１爪押え（４０−２）が係止爪の第１隆起部（３２−４）に押圧係合し、第２爪押え（４６）が第２隆起部（３２−３）よりも前方位置の位置とされて、該係止爪の係止部を上記係止位置に押圧し、
上記押圧開放位置にあるときには、第１爪押えが係止爪の第１隆起部よりも後方位置に位置し、第２爪押えが係止爪の第２隆起部に押圧係合するようにして、係止爪の係止部が上記開放位置になるようにすることができる。
【００１０】
更に具体的には、
上記スリーブ（４０）の前端内周面が上記第１爪押え（４０−２）を形成し、
該スリーブは、その前端より後方位置において該スリーブの内周面よりも半径方向内側に突出する部分を有するボール（４６）を備え、該ボールの上記突出部分により、上記第２爪押えが形成されるようにすることができる。
【００１１】
係止爪操作手段（２４）は、
上記雄型継手受入部（２２）内に操作スリーブ固定位置と操作スリーブ開放位置との間を上記軸線方向で変位可能に設けられたスリーブ固定部材（４２）と、
該スリーブ固定部材（４２）を操作スリーブ固定位置に付勢する第１付勢部材（４４）と、
操作スリーブ固定位置にあるスリーブ固定部材（４２）により操作スリーブ（４０）に係合されて該操作スリーブを上記押圧開放位置に保持し、スリーブ固定部材が操作スリーブ開放位置に変位することに応答して操作スリーブ（４０）を上記押圧係止位置に変位するのを許容するスリーブ係合部材（３４）と
を有するようにすることができる。
【００１２】
また、上記スリーブ係合部材（３４）は、上記筒状壁（２０−１）を半径方向で貫通する半径方向孔（２０−１（４））内に半径方向で変位可能に設けられたスリーブ係合ボールとされ、
上記操作スリーブ（４０）はその内周面に、当該操作スリーブが上記押圧開放位置にあるときに該スリーブ係合ボールと半径方向で整合するボール受入凹部（４０−１）を有し、
上記スリーブ固定部材（４２）は、操作スリーブ固定位置にあるときにスリーブ係合ボールに係合して該ボールを操作スリーブの上記ボール受入凹部（４０−１）に押圧係合させるボール押圧部（４２−１）と、上記操作スリーブ開放位置にあるときにスリーブ係合ボールが半径方向内側に変位してボール受入凹部（４０−１）から外れるのを可能にするボール開放部（４２−２）とを有する外面を備えるようにすることができる。
【００１３】
また、上記雄型継手受入部内に設けられた開閉弁であって、雌型継手本体内で該雄型継手受入部に軸線方向で連続して設けられた流体通路を閉止する前方閉止位置と、同流体通路を開放する後方開放位置との間を軸線方向で変位可能とされた開閉弁体（２６）と、
該開閉弁体（２６）を上記前方閉止位置に付勢する第２付勢手段（５０）と、
を有し、
上記スリーブ固定部材（４２）及び開閉弁体（２６）は雄型継手受入部（２２）内に挿入される雄型継手（１２）によって後方へ押し込められ、開閉弁体（２６）が上記後方開放位置とされた状態でスリーブ固定部材（４２）がスリーブ開放位置とされるようにすることが好ましい。
【００１４】
更に、雌型継手本体が、上記流体通路を開閉するための第２開閉弁（２８）を有し、
操作スリーブ（４０）は、上記押圧係止位置とされたときにのみ、該第２開閉弁が解放状態となるのを許容するようにすることが好ましい。
【００１５】
また、雌型継手本体の先端には、上記押圧係止位置にあるときの操作スリーブの半径方向外側位置に位置して、該操作スリーブへの外部からのアクセスができないようにするための安全筒部（５６）を設けることが好ましい。
【発明の効果】
【００１６】
本発明に係る雌型継手においては、雄型継手が雌型継手内の固定位置まで挿入される前に、雄型継手が雌型継手の雄型継手受入部内に十分に挿入されるようにすることができる。特に、雄型継手の先端部分外周面と、それよりも後方位置の外周面とが、雄型継手受入部を画定している壁面と摺動係合するようにすることにより、該雄型継手の雌型継手に対する芯出しが行われた状態で係止爪による係止が行われることが可能となり、従って、雄型継手と雌型継手との連結を従来のものに比べて適切に行うことができる。
特に高圧の流体を扱う場合には、コレット式固定手段を備える従来の継手の欠点を解消しながら、ボール型の固定手段ではなしえにくい確実な連結を可能にする。
【発明を実施するための最良の形態】
【００１７】
以下、本発明に係る管継手の実施形態を添付図面に基づき説明する。
図１は本発明に係る雌型継手１０の縦断面図、図２は図１の雌型継手１０に雄型継手１２が挿入された状態の縦断面図、図３は雌型継手本体（後述）を想像線（一転鎖線）で表し、該雌型継手本体に取付けられる係止爪（後述）等を実線で示した斜視図、図４は図３のIV-IV線断面図であり、雌型継手本体が実線で示され、該雌型継手本体の外側に摺動可能に取り付けられる操作スリーブ（後述）等は想像線で表しており、図５は図３のＶ―Ｖ線断面である。
【００１８】
図示のように、雌型継手１０は、全体として筒型の雌型継手本体２０を有している。具体的には該雌型継手本体２０は、その前端側から後端側に向けて順次配置され相互にネジ係合された第１本体部材２０−１、第２本体部材２０−２、第３本体部材２０−３からなる。
【００１９】
第１本体部材２０−１は、雄型継手１２を受け入れるための雄型継手受入部２２及び（該雄型継手受入部２２に受け入れた雄型継手１２を固定するための）雄型継手固定手段２４を備えている。
【００２０】
第２本体部材２０−２は、第１本体部材２０−１の雄型継手受入部２２に連通した流体通路２５を有しており、該流体通路２５を開閉するためのポペット型の第１の開閉弁体２６と、シャフト２７に取り付けられて、該シャフトがその中心軸線を中心に回動することに伴って回動されるボール型の第２の開閉弁体２８とを備えている。
【００２１】
また、第２本体部材２０−２は、第２の開閉弁体２８を図１の閉止位置にしたときに流体通路２５に連通されるようにシャフト２７内に形成された残圧排出孔２７−１に連通し、開閉弁体２８が閉止位置にあるときに、該流体通路２４内の残圧を外部へ排出するための残圧排出口３０−１を備える残圧排出管３０が設けられている。
第３本体部材２０−３は、（図示しない）高圧流体源に接続されたパイプＰが接続されるようになっている。
【００２２】
図３には、第１本体部材２０−１に対して取付けられる（雄型継手固定手段２４の構成部材である）係止爪３２、及び、操作スリーブ固定ボール３４の第１本体部材２０−１に対する位置関係が、また、図４には図３のIV-IV線に沿って見た場合の断面図が示されている。
【００２３】
図１乃至図６から分かるように、係止爪３２は第１本体部材２０−１の軸線方向（雄型継手受入方向）に延びる細長い部材とされており、その先端に、（図２に示すように挿入された）雄型継手１２の外周面に形成された被係止部すなわち環状凹部１２−１に係合して、該雄型継手１２を雌型継手本体２０内に係止する係止部３２−１を備えている。
【００２４】
第１本体部材２０−１は、その内周面に、係止爪３２を梃子状に支持する支持部が形成されており、図示の例では環状リング３５が該内周面に係合固定されて係止爪３２を支持するようになっている。すなわち、環状リング３５の図１で見て（支持部としての）左上角部３５−１で係止爪３２が支持されており、図２及び図５に示すように係止部３２−１が、上記雄型継手受入部２２に挿入された雄型継手１２の被係止部１２−１に係合する係止位置と、図１及び図６に示すように、該係止位置よりも係止部３２−１が半径方向外側に変位して雄型継手１２の被係止部１２−１から外れて、雄型継手が雄型継手受入部から引き出されるのを可能とする開放位置と、なるように当該係止爪３２が梃子状に動くように支持している。より精確に述べれば、係止爪３２は、その半径方向内面が、（当該係止爪が図５に示す係止位置にあるときに）環状リング３５の外周面と接触する面３２−２と、環状リングの図でみて左端面に接触する面３２−３とを有しており、当該係止爪３２が環状リング３５条で梃子状の動きをするときには、面３２−３の先端３２−４が環状リング３５の左端面に係合し、該先端３２−４を支点として動くようになっている。
【００２５】
第１本体部材２０−１の筒状壁には、係止爪３２の係止部３２−１が、当該筒状壁を通して上記係止位置（図２）と開放位置（図１）との間を半径方向で変位できるようにするための該筒状壁を半径方向で貫通する半径方向貫通孔２０−１（１）が形成されている。具体的には、第１本体部材２０−１の筒状壁には、図３に示すように、その周方向でほぼ９０°の間隔をあけて設けられ、それぞれ当該第１本体部材の軸線方向に延び、半径方向で貫通する細長い係止爪収納孔２０−１（２）が形成されており、環状リング３５が、該係止爪収納孔２０−１（２）の軸線方向のほぼ中間位置を横断するように設けられており、該環状リング３５の前側に上記半径方向貫通孔２０−１（１）が形成され、後側には第２の半径方向貫通孔２０−１（３）が形成されるようになっている。
【００２６】
環状リング３５の内周面（特許請求の範囲で規定するところの雄型継手受入部２２の奥部内面）３５−２、及び、同第１本体部材２０−１の先端部分内周面２０−１（２）（すなわち、係止爪収納孔２０−１（２）の前側位置の内周面）は、当該第１本体部材２０−１の軸線に平行に延びるようにされており、（雄型継手１２の被係止部１２−１が係止爪３２の係止部３２−１によって係合されるようになる位置まで該雄型継手が雄型継手受入部へ挿入される前の段階で）環状リング３５の内周面３５−２が当該雄型継手の先端部外周面１２−２と摺動係合し、同時に、第１本体部材２０−１の先端部分内周面（特許請求の範囲で規定するところの雄型継手受入部２２の前端内面）２０−１（２）が雄型継手１２における被係止部１２−１を挟んで先端部外周面１２−２よりも後方位置にある雄型継手の外周面１２−３と摺動係合するようにされており、これにより、雄型継手１２の被係止部１２−１が係止爪３２の係止部３２−１によって係合固定される前に、当該雄型継手１２が雌型継手１０に対して芯合わせされた状態とされる。より詳細に述べれば、第1本体部材２０−１の内周面は、図5に示すように、環状リング３５の外周面が当接する大径の内周面２０−４と、右端面が当接する肩状面２０−５と、該肩状面に連続して環状リング３５の内周面と同径とされた小径の内周面２０−６とを有しており、雄型継手１２を雌型継手１０に対して芯合わせされた状態にするために、雄型継手の先端部外周面１２−２と摺動係合する（特許請求の範囲で規定するところの）雄型継手受入部２２の奥部内面は、該第1本体部材の上記小径とされた内周面２０−６と上述の環状リング３５の内周面３５−２とにより構成されている。
【００２７】
係止爪３２は、図２、図３、図５に示すように、係止部３２−１が雄型継手１２の被係止部１２−１と係合する係止位置にある状態において、軸線方向に延びる平坦部３２−５と、該平坦部の後端から半径方向外側に傾斜隆起する隆起部３２−６、該平坦部の前端から半径方向外側に傾斜隆起する隆起部３２−７とを有する半径方向外側面を備えている。
【００２８】
第１本体部材２０−１の筒状壁の外周面上に操作スリーブ４０が設けられている。該操作スリーブ４０は、該操作スリーブに設けられた半径方向貫通孔内に設定され、一部が当該操作スリーブの内周面よりも内側に突出しているボール４０−１を備える。操作スリーブ４０は、図２及び図５に示す押圧係止位置にあるときには、（特許請求の範囲で第１爪押えとして規定される）当該操作スリーブ４０の前端部分４０−２が係止爪３２の隆起部３２−７と係合して半径方向内側に押圧係合し、（特許請求の範囲で第２爪押えとして規定される）ボール４６が隆起部３２−６よりも前方位置の位置とされて、該係止爪３２の係止部３２−１を雄型継手の被係止部１２−１に係合させ、また、図１及び図６に示す押圧開放位置（すなわち、係止爪３２の係止部３２−１を図２に示す位置）にあるときには、第１爪押えとしての当該操作スリーブの前端部分４０−２が係止爪３２の隆起部３２−７よりも後方位置に位置し、第２爪押えとしてのボール４６が係止爪３２の隆起部３２−６に押圧係合して、係止爪３２の係止部３２−１が上記開放位置になるようにされている。４１は操作スリーブ４０を、図２の押圧係止位置に向けて付勢するコイルバネを示す。
【００２９】
第１本体部材２０−１の雄型継手受入部内には、（図４、図１に示す）操作スリーブ固定位置と図２に示す操作スリーブ開放位置との間を上記軸線方向で変位可能に設けられた筒状のスリーブ固定部材４２と、該スリーブ固定部材４２を操作スリーブ固定位置に付勢する第１付勢部材４４と、操作スリーブ固定位置（図１、図４）にあるスリーブ固定部材４２により押圧されて操作スリーブ４０の内周面に設けられた凹部４０−１に係合されて該操作スリーブ４０を上記押圧開放位置（すなわち、係止爪３２の係止部３２−１を雄型継手１２の被係止部１２−１から外すした位置）に保持し、スリーブ固定部材４２が操作スリーブ開放位置（図２）に変位することに応答して操作スリーブ４０を上記押圧係止位置（すなわち、係止爪３２の係止部３２−１を雄型継手１２の被係止部１２−１押圧係合する位置）に変位するのを許容するスリーブ係合部材３４（図３、図４）と有している。
【００３０】
図示の例では、スリーブ係合部材３４は、図３及び図４に示すように、第１本体部材２０−１の筒状壁を半径方向で貫通する第３の半径方向孔２０−１（４）内に半径方向で変位可能に設けられた操作スリーブ固定ボールとされ、操作スリーブ４０の内周面に設けられた凹部４０−１は、当該操作スリーブ４０が押圧開放位置（図１）にあるときに該操作スリーブ固定ボール３４と半径方向で整合するようになされている。スリーブ固定部材４２は、図１の操作スリーブ固定位置にあるときに操作スリーブ固定ボール３４に係合して該ボールを操作スリーブ４０のボール受入凹部４０−１に押圧係合させるボール押圧部４２−１と、図２の操作スリーブ開放位置にあるときに操作スリーブ固定ボール３４が半径方向内側に変位して凹部４０−１から外れるのを可能にするボール開放部４２−２とを有する外面を備えている。
【００３１】
第１開閉弁２６は、コイルバネ５０によって、図１に示す前方閉止位置に付勢されている。該コイルバネ５０は、第１開閉弁２６の周囲に軸線方向で変位可能に取付けられ、第１開閉弁２６の周囲に固定されたストップリング５４係止されたバネ保持スリーブ５２と、第２本体部材２０−２との間に設定されている。
【００３２】
スリーブ固定部材４２及び第１開閉２６は、雄型継手受入部２２内に挿入される雄型継手１２によって後方へ押し込められ、第１開閉弁が（図２に示す）後方開放位置とされた状態でスリーブ固定部材４２がスリーブ開放位置とされ、操作スリーブ４０が、コイルバネ４１によって、図２に示す位置に変位されるようになっている。
【００３３】
操作スリーブ４０の外周面には、筒状部材５５が固定されており、操作スリーブ４０が軸線方向で変位することに伴い、第２継手本体２０−２上を軸線方向に摺動するようになっている。すなわち、図１に示すような状態においては、該筒状部材５４の図で見て左端部分５５−1が（シャフト回動用レバーが取り付けられる）シャフト２７の上端部に近接する位置とされ、該レバーによるシャフトの回動、従って、第２開閉弁体２８を図１の閉止位置から開放位置に回動するが阻止されるようになっており、一方、図２に示すように操作スリーブと共に図で見て右方へ変位した場合には、同左端部分５５−１がシャフト２７の上端部から離れ、当該シャフト２７の回動を許容し、第２開閉弁体２８が図１の閉止位置から開放位置へ回動することができるようになっている。これにより、第２開閉弁体２８は、雄型継手１２が雌型継手１０に完全に挿入され、係止爪３２により固定された状態のときだけ、開放できるようになっている。
【００３４】
なお、雌型継手本体２０の先端には、押圧係止位置（図２）にあるときの操作スリーブ４０の半径方向外側位置に位置して、該操作スリーブへの外部からのアクセスができないようにするための安全筒部５６が設けられている。
【図面の簡単な説明】
【００３５】
【図１】本発明に係る雌型継手の縦断面図である。
【図２】図１の雌型継手に雄型継手が挿入された状態で、第２開閉弁体がまだ解放されていない状態を示す縦断面図である。
【図３】図１の雌型継手の雌型継手本体を想像線（一転鎖線）で表し、該雌型継手本体に取付けられる係止爪等を実線で示した斜視図である。
【図４】図３のIV-IV線断面図であり、雌型継手本体が実線で示され、該雌型継手本体の外側に摺動可能に取り付けられる操作スリーブ等が想像線で表されている。
【図５】図３のV-V線断面図であり、係止爪が係止位置にある状態を示す。
【図６】図５と同様の図であり、係止爪が開放位置にある状態を示す。
【符号の説明】
【００３６】
１０        雌型継手
１２        雄型継手
１２−１    被係止部（環状凹部）
１２−２    先端部外周面
１２−３    外周面
２０        雌型継手本体
２０−１    筒状壁（第１本体部材）
２０−１（１）半径方向貫通孔
２０−１（２）前端内面（先端部分内周面）
２０−１（３）第２半径方向貫通孔
２０−１（４）半径方向孔（第３の半径方向孔）
２０−１（５）係止爪収納孔
２０−２    第２本体部材
２０−３    第３本体部材
２０−４    大径の内周面
２０−５    肩状面
２０−６    小径の内周面
２２        雄型継手受入部
２４        係止爪操作手段（雄型継手固定手段）
２５        流体通路
２６        第１開閉弁体
２７        シャフト
２７−１    残圧排出孔
２８        第２開閉弁体
３０        残圧排出管
３０−１    残圧排出口
３２        係止爪
３２−１    係止部
３２−２    外周面と接触する面
３２−３    左端面に接触する面
３２−４    先端
３２−５    平坦部
３２−６    第２隆起部
３２−７    第１隆起部
３４        スリーブ係合部材（操作スリーブ固定ボール）
３５        環状リング
３５−１    支持部（左上角部）
３５−２    奥部内面（内周面）
４０        操作スリーブ
４０−１    ボール受入凹部
４０−１    ボール
４０−２    第１爪押え（前端部分）
４１        コイルバネ
４２        スリーブ固定部材
４２−１    ボール押圧部
４２−２    ボール開放部
４４        第１付勢部材
４６        第２爪押え（ボール）
５０        第２付勢手段（コイルバネ）
５２        バネ保持スリーブ
５４        ストップリング
５５        筒状部材
５５−１    左端部分
５６        安全筒部
Ｐ          パイプ
【図１】
2006112533.tif 000003
【図２】
2006112533.tif 000004
【図３】
2006112533.tif 000005
【図４】
2006112533.tif 000006
【図５】
2006112533.tif 000007
【図６】
2006112533.tif 000008